(57)【要約】【課題】送信スレッショルト設定操作を容易にし、設定操作の危険を少なくしたセンサ送信機の提供を図る。【解決手段】移動構造体に留められ、家またはビルのオートメーション設備におけるセキュリティー信号を送信するようにされたセンサ送信機20であって、前記ケーシングの機械的状態を検出する手段27, 32を備え、前記センサ送信機は、前記ケーシングが閉鎖され、前記移動構造体に留められる動作状態において、前記セキュリティー信号の送信は、当該動作状態においてイネーブルとされ、他の場合は、前記セキュリティー信号の送信がディスエーブルとされ、前記セキュリティー信号の送信は、前記ディスエーブル状態においては禁止され、他の信号の送信は可能なままとされ、且つ、前記セキュリティー信号の送信は、前記ディスエーブル状態においてはイネーブルとされ、当該セキュリティー信号はディスエーブル信号によってディスエーブルとされるように構成する。【選択図】図２
2008167439.tif 000002
【特許請求の範囲】
【請求項１】
移動構造体（１１，１３，１４）に留められ、家またはビルのオートメーション設備（１０）におけるセキュリティー信号を送信するようにされたセンサ送信機（２０）であって、
ケーシング（２２，２３）において、
自主的な電源（３６）と、
振動センサ（３３）と、
無線送信機（３５）と、
前記振動センサから獲得された信号を分析し、前記無線送信機によって前記セキュリティー信号を送信するかどうかを決定する論理処理ユニット（３４）と、を備え、前記センサ送信機は、前記ケーシングの機械的状態を検出する手段（２７，３２）を備え、前記センサ送信機は、
前記ケーシングが閉鎖され、前記移動構造体に留められる動作状態において、前記セキュリティー信号の送信は、当該動作状態においてイネーブルとされ、
他の場合は、前記セキュリティー信号の送信がディスエーブルとされ、
前記セキュリティー信号の送信は、前記ディスエーブル状態においては禁止され、他の信号の送信は可能なままとされ、且つ、
前記セキュリティー信号の送信は、前記ディスエーブル状態においてはイネーブルとされ、当該セキュリティー信号はディスエーブル信号によってディスエーブルとされるセンサ送信機。
【請求項２】
請求項１に記載のセンサ送信機において、前記ディスエーブル信号は、前記センサの前記ディスエーブル状態を示す情報を備えるセンサ送信機。
【請求項３】
請求項１または２に記載のセンサ送信機において、前記他の信号は、プレゼンス信号を含むセンサ送信機。
【請求項４】
移動構造体（１１，１３，１４）、および、無線受信機が設けられた制御ユニット（１９）を備え、セキュリティー信号を受信してモータ（１８）を活性化するホームオートメーション設備（１０）であって、
前記移動構造体上に取り付けられた請求項１〜３のいずれか１項に記載のセンサ送信機（２０）を備えるホームオートメーション設備。
【請求項５】
移動構造体（１１，１３，１４）、および、無線受信機が設けられた固定構造体（１７）を備え、バリッドセキュリティー信号を受信してモータ（１８）を活性化するホームオートメーション設備（１０）であって、
前記移動構造体上に取り付けられた請求項１〜３のいずれか１項に記載のセンサ送信機（２０）を備えるホームオートメーション設備。
【請求項６】
請求項４または５に記載のホームオートメーション設備において、前記移動構造体は、動力化されたオーニング、動力化されたローリングシャッタまたは動力化されたドアを備えるホームオートメーション設備。
【請求項７】
請求項１〜３のいずれか１項に記載のセンサ送信機のためのオペレーティング方法であって、
前記ケーシングの前記機械的状態がモニタされるステップと、
前記ケーシングの前記機械的状態に応じた動作状態またはディスエーブル状態において前記センサ送信機が位置決めされるステップと、を備えるオペレーティング方法。
【請求項８】
請求項７に記載のオペレーティング方法において、
前記ディスエーブル状態において、前記センサ送信機が周期的にプレゼンス信号を送信するオペレーティング方法。
【請求項９】
請求項１〜３のいずれか１項に記載のセンサ送信機のための学習方法であって、
前記ケーシングの前記機械的状態がモニタされるステップと、
前記ケーシングの前記機械的状態に応じた動作状態またはディスエーブル状態において前記センサ送信機が位置決めされるステップと、
前記センサ送信機が、第１の予め定められた持続時間よりも少ない持続時間でディスエーブル状態になっているとき、設定手順をトリガーするステップと、を備える学習方法。
【請求項１０】
請求項９に記載の学習方法において、前記設定手順は、
前記移動構造体を手動で動かすステップと、
前記振動センサを使用して測定するステップと、
前記測定値を格納するステップと、
前記格納された測定値から少なくとも１つのスレッショルド値を計算するステップと、
スレッショルド値を格納するステップと、を備える学習方法。
【請求項１１】
請求項１０に記載の学習方法において、前記センサ送信機は、前記設定手順の後、動作状態に切り替える学習方法。
【発明の詳細な説明】
【技術分野】
【０００１】
本発明は、家またはビルのオートメーション設備、特に、動力化された（電動）ブラインドまたはオーニングにおける動力化された移動構造体上に取り付けられたセキュリティーセンサ送信機、並びに、そのようなセンサ送信機のためのディスエーブル方法および学習方法に関する。センサ送信機は、セキュリティー信号を送信するための無線受信機を含む。
【背景技術】
【０００２】
例えば、移動構造体に対する風による動きを検出するための加速度計を備えた振動センサの使用は知られている。センサは、移動構造体において、風の影響が特に重要な個所に留められる。また、センサは、加速度計によって生成された信号を分析する装置、および、振動レベルが予め定められたスレッショルド（閾値: threshold）を超えるとき、モータ制御ユニットに対してオーニングリトラクション信号を送る無線送信機を含んでいる。
【０００３】
そのような装置は、従来から知られている（例えば、特許文献１参照）。
【０００４】
また、一次バッテリまたは充電バッテリおよび光電池形式のパネルによる自己給電型である。
【０００５】
シャッタの側面スライド部に取り付けられた磁石の遷移位置で、最終ブレードの端部に配置された障害物検出センサの動作は、開示されている（例えば、引用文献２参照）。
【０００６】
支持部に収容されてウィンドスクリーンに接合され、そして、粘着性ジョイントを破壊する如何なる企てに対して不活性にするセキュリティー装置からの通信信号なしで全体的に役に立たないようにする自動車のケーシングに包含される、自動車料金の遠隔適用のために利用される自動無線応答機の手法における処理が開示されている（例えば、特許文献３参照）。さらに、セキュリティー装置および携帯部材はペアとされ、携帯部材は、同じ形式の支持部を含む他の車だけ動作させることができるようになっている。
【０００７】
ホームオートメーション設備において、その設備がその支持部に位置するか否かによって、遠隔制御がマニュアル動作モードから自動動作モードに切り換えることも開示されている（例えば、特許文献４参照）。
【０００８】
最後に、送信モジュールが開けられまたは外されたときに信号を受信機に送信することによって自動ドア制御システムの安全を確保することも開示されている（例えば、特許文献５参照）。同様の機能は、ユニットが引き裂かれるか開けられると、アラームユニットに警戒信号を自動的に送信するケーシング内に設けられたセンサ送信機のための窃盗防止アラームシステムにおいても得られる（例えば、特許文献６参照）。
【０００９】
【特許文献１】仏国特許出願公開第２８１１４３１号明細書
【特許文献２】欧州特許出願公開第１５９８５１８号明細書
【特許文献３】国際公開第９９／３６８８６号パンフレット
【特許文献４】欧州特許出願公開第１４１５２９０号明細書
【特許文献５】米国特許第７１２３１４４号明細書（第６欄、第１３行〜第１８行）
【特許文献６】特開平０５−０５４２６９号公報
【発明の開示】
【発明が解決しようとする課題】
【００１０】
上述した形式のセンサには、２つの問題があり、それらは、設定スレッショルド（センサの感度レベルを調整するため）の割り当て、および、バッテリの交換である。
【００１１】
実際に、移動構造体は風の作用に感応すると共に風雨や湿気や塩霧にさらされるので、センサは完全防水のケーシングを含むことが重要である。
【００１２】
ドライバッテリ、および／または、１つまたは複数のスレッショルドを調整する手段は、通常、その構造体からセンサを分離することになるケーシングの取り去りの後にだけアクセスされ得る。
【００１３】
ここで、これらの動作から結果として生じる動きは、風検出信号の送信を行うことで、移動構造体上の閉鎖を自動的に行わせることになる。予期せぬ自然現象によって、この自動動作は、例えば、センサがアーム式オーニングのロードバー上に取り付けられ、また、ユーザまたはインストーラが踏み台を使用してロードバーを簡単にアクセスするためにオーニングを展開するときに、特に危険になり得る。
【００１４】
さらに、ポテンショメータの設定を調整することは、センサが閉鎖されたケーシング内部にあると、困難である。しかしながら、一方、外部からアクセス可能なポテンショメータの制御を行うことは、防水を必要とするために、相当のコスト増を来すことになる。
【００１５】
同様の問題が、動力化された回転式シャッタの最終ブレード、または、動力化された車庫のドアに設けられたセキュリティーセンサ（障害物の検出）にも生じ、そのシャッタまたはドアが少なくとも部分的に閉鎖された状態において、検出感度を調整することが要望されている。
【００１６】
本発明の目的は、上述した欠点を克服すると共に、従来の既知のセンサ送信機を改良するセンサ送信機を提供することにある。また、本発明は、設定操作、特に、送信スレッショルト設定操作を容易にすると共に、設定操作の危険を少なくしたセンサ送信機を提案する。さらに、本発明は、そのようなセンサ送信機の学習方法およびオペレーティング方法に関する。
【課題を解決するための手段】
【００１７】
本発明の第１の形態によれば、移動構造体に留められ、家またはビルのオートメーション設備におけるセキュリティー信号を送信するようにされたセンサ送信機であって、ケーシングにおいて、自主的な電源と、振動センサと、無線送信機と、前記振動センサから獲得された信号を分析し、前記無線送信機によって前記セキュリティー信号を送信するかどうかを決定する論理処理ユニットと、を備え、前記センサ送信機は、前記ケーシングの機械的状態を検出する手段を備え、前記センサ送信機は、前記ケーシングが閉鎖され、前記移動構造体に留められる動作状態において、前記セキュリティー信号の送信は、当該動作状態においてイネーブルとされ、他の場合は、前記セキュリティー信号の送信がディスエーブルとされ、前記セキュリティー信号の送信は、前記ディスエーブル状態においては禁止され、他の信号の送信は可能なままとされ、且つ、前記セキュリティー信号の送信は、前記ディスエーブル状態においてはイネーブルとされ、当該セキュリティー信号はディスエーブル信号によってディスエーブルとされるセンサ送信機が提供される。
【００１８】
前記ディスエーブル信号は、前記センサの前記ディスエーブル状態を示す情報を備えてもよい。また、前記他の信号は、プレゼンス信号を含んでもよい。
【００１９】
また、本発明の第２の形態によれば、移動構造体、および、無線受信機が設けられた制御ユニットを備え、セキュリティー信号を受信してモータを活性化し、前記移動構造体上に取り付けられたセンサ送信機を備えるホームオートメーション設備であって、前記センサ送信機移動構造体に留められ、家またはビルのオートメーション設備におけるセキュリティー信号を送信するようにされ、ケーシングにおいて、自主的な電源と、振動センサと、無線送信機と、前記振動センサから獲得された信号を分析し、前記無線送信機によって前記セキュリティー信号を送信するかどうかを決定する論理処理ユニットと、を備え、該センサ送信機は、前記ケーシングの機械的状態を検出する手段を備え、前記センサ送信機は、前記ケーシングが閉鎖され、前記移動構造体に留められる動作状態において、前記セキュリティー信号の送信は、当該動作状態においてイネーブルとされ、他の場合は、前記セキュリティー信号の送信がディスエーブルとされ、前記セキュリティー信号の送信は、前記ディスエーブル状態においては禁止され、他の信号の送信は可能なままとされ、且つ、前記セキュリティー信号の送信は、前記ディスエーブル状態においてはイネーブルとされ、当該セキュリティー信号はディスエーブル信号によってディスエーブルとされるホームオートメーション設備が提供される。
【００２０】
なお、本発明の第２の形態によれば、移動構造体、および、無線受信機が設けられた固定構造体を備え、バリッドセキュリティー信号を受信してモータを活性化するホームオートメーション設備であって、前記移動構造体上に取り付けられたセンサ送信機を備え、該センサ送信機は、移動構造体に留められ、家またはビルのオートメーション設備におけるセキュリティー信号を送信するようにされ、ケーシングにおいて、自主的な電源と、振動センサと、無線送信機と、前記振動センサから獲得された信号を分析し、前記無線送信機によって前記セキュリティー信号を送信するかどうかを決定する論理処理ユニットと、を備え、前記センサ送信機は、前記ケーシングの機械的状態を検出する手段を備え、前記センサ送信機は、前記ケーシングが閉鎖され、前記移動構造体に留められる動作状態において、前記セキュリティー信号の送信は、当該動作状態においてイネーブルとされ、他の場合は、前記セキュリティー信号の送信がディスエーブルとされ、前記セキュリティー信号の送信は、前記ディスエーブル状態においては禁止され、他の信号の送信は可能なままとされ、且つ、前記セキュリティー信号の送信は、前記ディスエーブル状態においてはイネーブルとされ、当該セキュリティー信号はディスエーブル信号によってディスエーブルとされるホームオートメーション設備も提供される。
【００２１】
前記移動構造体は、動力化されたオーニング、動力化されたローリングシャッタまたは動力化されたドアを備えてもよい。
【００２２】
さらに、本発明の第３の形態によれば、センサ送信機のためのオペレーティング方法であって、該センサ送信機は、前記ケーシングの機械的状態を検出する手段を備え、前記センサ送信機は、前記ケーシングが閉鎖され、前記移動構造体に留められる動作状態において、前記セキュリティー信号の送信は、当該動作状態においてイネーブルとされ、他の場合は、前記セキュリティー信号の送信がディスエーブルとされ、前記セキュリティー信号の送信は、前記ディスエーブル状態においては禁止され、他の信号の送信は可能なままとされ、且つ、前記セキュリティー信号の送信は、前記ディスエーブル状態においてはイネーブルとされ、当該セキュリティー信号はディスエーブル信号によってディスエーブルとされ、前記オペレーティング方法は、前記ケーシングの前記機械的状態がモニタされるステップと、前記ケーシングの前記機械的状態に応じた動作状態またはディスエーブル状態において前記センサ送信機が位置決めされるステップと、を備えるオペレーティング方法が提供される。
【００２３】
前記ディスエーブル状態において、前記センサ送信機は、周期的にプレゼンス信号を送信するように構成してもよい。
【００２４】
そして、本発明の第４の形態によれば、センサ送信機のための学習方法であって、該センサ送信機は、前記ケーシングの機械的状態を検出する手段を備え、前記センサ送信機は、前記ケーシングが閉鎖され、前記移動構造体に留められる動作状態において、前記セキュリティー信号の送信は、当該動作状態においてイネーブルとされ、他の場合は、前記セキュリティー信号の送信がディスエーブルとされ、前記セキュリティー信号の送信は、前記ディスエーブル状態においては禁止され、他の信号の送信は可能なままとされ、且つ、前記セキュリティー信号の送信は、前記ディスエーブル状態においてはイネーブルとされ、当該セキュリティー信号はディスエーブル信号によってディスエーブルとされ、前記学習方法は、前記ケーシングの前記機械的状態がモニタされるステップと、前記ケーシングの前記機械的状態に応じた動作状態またはディスエーブル状態において前記センサ送信機が位置決めされるステップと、前記センサ送信機が、第１の予め定められた持続時間よりも少ない持続時間でディスエーブル状態になっているとき、設定手順をトリガーするステップと、を備える学習方法が提供される。
【００２５】
前記設定手順は、前記移動構造体を手動で動かすステップと、前記振動センサを使用して測定するステップと、前記測定値を格納するステップと、前記格納された測定値から少なくとも１つのスレッショルド値を計算するステップと、スレッショルド値を格納するステップと、を備えてもよい。また、前記センサ送信機は、前記設定手順の後、動作状態に切り替えることもできる。
【発明を実施するための最良の形態】
【００２６】
添付図面は、実施例として、本発明に係るセンサ送信機の実施形態、並びに、本発明に係るセンサ送信機の学習方法および本発明に係るセンサ送信機の動作モードを示している。
【実施例】
【００２７】
図１は、動力化されたオーニング、および、固定部１２によってロードバー１３に取り付けられた生地１１を備える設備１０を示している。生地は、動力化されたチューブ１８の上に巻き取られる。モータが、生地を巻き取りチューブ上に巻き取るとき、生地の残りの部分は、ロードバー１３をＸ１方向に動かし、また、Ｙ２方向に少し動かす。ばねが設けられた複数の連結式アーム１４は、ロードバー１３に対してＸ２方向に力を与え、また、生地の張りを保持するためにＹ１方向に少し動かす。連結式アーム１４は、第１関節１５によってロードバーに接続されている。連結式アームは、他の関節、特に、その連結式アームを、動力化された巻き取りチューブを備える設備の固定構造体１７に接続する第２関節１６を備える。ロードバー，生地および関節のあるアームは、移動構造体を構成する。
【００２８】
さらに、設備１０は、ロードバー１３上に留められたセンサ送信機２０を備える。センサ送信機２０は、生地１１に働く風（実線の矢印ＷＮＤ）が移動構造体を生じさせ、特に、センサ送信機が位置する如何なる場所にも設けることができる。センサ送信機２０は、制御ユニット１９にセキュリティー信号を送信する。この制御ユニットは、動力化されたチューブを制御するコマンドを生成する。制御ユニットは、アンテナを伴った無線周波数受信機、および、任意に何らかの天候サンサを備える。
【００２９】
図２は、センサ送信機２０に設けられた構成部品の詳細を示す。好ましい実施例において、センサ送信機は、移動構造体の上に留められたベース２２、および、蓋を構成すると共にセンサ送信機の電子構成部品を備える移動可能部分２３を有する。
【００３０】
蓋２３は、隅部２５においてベース２２に短時間で蓋２３を取り付けるためのクリップ２４を備える。ベースは、円で表された取り付け手段２６によってロードバー１３上にしっかりと取り付けられる。これらは、単に締め付けねじであってもよい。さらに、ベースは、ケーシングの閉鎖を検出するための一次エレメント２７、例えば、磁石，反射経路またはスイッチ動作するように設計されたスタッドを備える。ベースおよび蓋は、センサ送信機のケーシングを構成する。
【００３１】
センサ送信機２０は、電子回路３０も備える。構成部品は、固定スタッド２８の手段によって蓋２３に固定されるプリント回路３１上に取り付けられる。これらの構成部品は、磁石によって制御されるリードスイッチ，光カプラまたは１つのスイッチのような、ケーシングの閉鎖を検出するための二次エレメント３２を備える。曲がった破線で示されるように、二次エレメントは、一次エレメントと協働してケーシングの閉鎖状態を表す電気的状態を配信する。
【００３２】
さらに、プリント回路３１は、例えば、加速度計やボールおよび接触型慣性センサといった振動センサ３３、或いは、他の様々な動き検出装置を指示する。
【００３３】
マイクロコントローラのような論理処理ユニット３４、無線送信機３５およびそのアンテナ、並びに、ドライバッテリ３６もまたセンサ送信機のプリント回路３１に配置される。
【００３４】
これらの構成要素間の結合は、図３によって明示される。
【００３５】
論理処理ユニット３４は、制御スイッチ３７が閉じられているときの振動センサ３３と同様に、ドライバッテリ３６によって電力が供給されている。振動センサ３３によって生成された信号は、論理処理ユニットの第１入力ＡＣＣに伝えられる。二次ケーシング閉鎖エレメント３２の出力は、論理処理ユニットの第２入力ＣＬＳに接続される。この入力は、ケーシングが閉鎖されている間、低レベルの論理状態となっている。このとき、振動センサ３３によって生成された信号が処理され、それらの信号が１つまたはそれ以上の予め定められたスレッショルドを超えると、制御信号は、論理処理ユニットの第１出力ＳＧＮＬから、その出力ＲＦＱが無線周波数アンテナに供給される無線送信機３４の入力ＲＦＩに伝えられ、セキュリティー信号『巻く（wind）』が伝達される。
【００３６】
或いは、一次および二次エレメントは、移動構造体の予め定められた位置に取り付けられていないと、ケーシングの開きを検出しない。例えば、リードセンサが二次エレメントとして働く間中、磁石は、一次エレメントとして働き、移動構造体の所定個所に位置する。磁石およびリードセンサがケーシング内部に位置するとき、一次エレメントは、移動構造体上に設けられた簡単なＵ字形状の強磁性部であってもよい。ケーシングが強磁性部の近くに来ると、それ以降、磁石による磁界がリードセンサに伝えられる。
【００３７】
欠陥のエレメントが取り替えを必要とするときには、ケーシングの交換を可能とし、全ての一次エレメントは、同じ形式のエレメントを有する全ての二次エレメントに交換とされ得る。
【００３８】
もし、論理入力ＣＬＳが高レベル状態に変化すると、論理処理ユニットは、振動センサによって生成された信号を利用しない。図３に示す実施例において、開き制御スイッチ３７は、論理処理ユニット３４のディスエーブル出力ＩＮＨによって制御され、それにより振動センサ部３３に対する供給が停止され、従って、それ以降に生成されるいかなる信号も停止する。或いは、論理処理ユニット３４は、単にその入力ＡＣＣの信号の分析を停止し、または、無線送信機３５に送られる信号伝送コマンドを一時的にブロックし、或いは、制御スイッチ３７と同様な手段により無線送信機３５にたいする電力を一時的に遮断し、若しくは、同じ制御スイッチ３７を使用して振動センサおよび無線送信機に対する電力供給を遮断することができる。
【００３９】
図４は本発明に係るオペレーティング方法の実行モードをフローチャートの形式で示すものである。
【００４０】
まず、第１ステップＥ１１において、ケーシングが開いているかまたは外れているかを確認するためにテストが開始される。もし、ケーシングが開いておらずまたは外れていなければ、第２ステップＥ１２に進み、もし、ウインドセキュリティースレッショルドに到達すると、すなわち、振動センサからの信号が予め定められたスレッショルド超えると、テストが実行される。もし、スレッショルドに到達しないと、第１ステップＥ１１に戻る。１つまたは２つの第２スリープ状態は、第１ステップＥ１１に復帰する前に、好適に挿入され得る。
【００４１】
もし、セキュリティースレッショルドが到達され或いは超えられると、第３ステップＥ１３に進み、センサ送信機は、オーニングを引っ込めるために、セキュリティー信号、すなわち、取り消しコマンド信号を送信する。そして、第１ステップＥ１１に復帰する。第１〜第３ステップの全てが、モニタリングモードを構成する。その後、センサ送信機は、動作状態になる。
【００４２】
もし、第１ステップＥ１１において、ケーシングの開きまたは外れが検出されると、第４ステップＥ１４に進んで、センサ送信機がディスエーブルとされ、すなわち、より正確には、ウインドセキュリティー信号またはオーニングリトラクション制御信号の送信をディスエーブルする。従って、センサ送信機は、そのセンサ送信機が相当動いてもウインド（風）の存在を示す無線情報を送信しないことになる。ウインドセキュリティー信号のディスエーブルは、例えば、振動センサの電力供給を遮断することによって引き起こされる。上述したように、他の簡単な手段がディスエーブルとするために使用され得る。それにより、センサ送信機は、上述したディスエーブル状態になる。
【００４３】
ディスエーブル状態においても、所定の送信機能は、活性を維持する。
【００４４】
次のステップＥ１５において、センサ送信機は、エネルギーセーブモードに切り替わる。このエネルギーセーブモードは、例えば、１５分ごとに、プレゼンス信号の送信を伴う定期的な起動（ウェイクアップ）動作を含む。特に、より大きなセキュリティーを確実にするために、制御ユニット１９は、例えば、プレゼンス信号の非受信といったセンサ送信機２０の動作の誤りに気づいたときには、オーニングのリトラクションを自動的に行わせる。センサ送信機のケーシングを開くことが、センサ送信機の開きまたはその外れによるセンサ送信機の動き、および／または、そのプレゼンス信号の送信の最後の両方によって、自動的なオーニングのリトラクションに導き得ないことが必要である。
【００４５】
他の形態として、ステップＥ１３は、センサ送信機を介在させて行う制御ユニット１９に向けた所定の信号の送信を備える。それにより、制御ユニットは、プレゼンス信号を聞くのをキャンセルする。従って、センサ送信機は、所定の信号の送信により提供されるエネルギーセーブモードにおいて、プレゼンス信号の送信をキャンセルすることができる。
【００４６】
ケーシングの開き、および／または、ケーシングの外れは、論理処理ユニットの第２入力ＣＬＳの状態の変化によって検出され得る。この状態の変化は、例えば、論理処理ユニットに含まれるマイクロコントローラに対して中断要求を生じる。
【００４７】
破線のブロックによって示された第６ステップＥ１６の挿入、および、セキュリティースレッショルドが到達されたことを検出した後のステップＥ１１の繰り返しは、オーニングの不必要なリトラクションを避けることを可能とする。実際に、ユーザまたは設備がセンサ送信機を操作するためにケーシングを外すかまたは開けると、センサは、直ちに、風の存在として解釈される振動を検出してリトラクション命令信号の送信を引き起こすといったリスクがある。第６ステップＥ１６は、そのようなリスクを避けるために、例えば、１秒の存続時間の遅延Ｔ０によって好適に先行されるようになっている。
【００４８】
図５は、本発明に係る学習方法を述べるものである。
【００４９】
学習方法の第１ステップＥ２１は、オペレーティング方法のステップＥ１２と同様である。
【００５０】
学習方法の第２ステップＥ２２は、オペレーティング方法のステップＥ１４と同様である。
【００５１】
第３ステップＥ２３において、第１タイマがトリガーされる。このタイマは、例えば、２秒〜１０秒の短い持続時間である。
【００５２】
第４ステップＥ２４において、第１ステップＥ２１で検出されたケーシングの外れ、および／または、開きが第１タイマの持続時間だけ維持されるかどうかを確認するにテストが開始される。もし、第１タイマの持続時間だけ維持されると、エネルギーセーブモードに切り替えるための第５ステップＥ２５に進む。この第５ステップＥ２５は、前述したステップＥ１５と全く同じものである。
【００５３】
しかしながら、もし、ケーシングが第１タイマの持続時間の間に元に戻されると、設定ステップＥ３０に進む。
【００５４】
従って、センサ送信機の感度スレッショルドを設定するインストーラは、センサ送信機のケーシングをその指示部から外し、数秒の後、ケーシングを元の位置に戻すといった非常に簡単な動作を実行することになる。この動作は、少なくとも部分的に、オーニングが展開されている間に行われる。
【００５５】
設定ステップへのエントリは、例えば、設定ステップにエントリしたことを通知するセンサ送信機からの無線メッセージを受信した後、センサ送信機によって、または、好ましくは制御ユニット１９によって送信されたビープといった知覚信号によって確認され得る。
【００５６】
図示しない予備的な処理を示すサブステップ以外、設定ステップは、５つのサブステップを備える。
【００５７】
第１サブステップＥ３１において、第２タイマＴ２がトリガーされる。この第２タイマは、例えば、３０秒〜３分といった前述の第１タイマよりも長い持続時間を有する。
【００５８】
この期間において、インストーラは、手動で第２サブステップＥ３２を構成する風の影響を表すオーニングの揺れを引き起こす。一方、オーニングは、ウインドの猛烈な突風に対抗するのに適しているが、構造体の揺れは、ユーザに不安な感覚を与える。従って、インストーラには、オーニングアが真に対抗するのではなく、ユーザに対して不安な感覚を与えるのに対応する揺れを与えることが要望される。
【００５９】
第３サブステップＥ３３において、振動センサによりピックアップされた振動パラメータが測定および格納される。このサブステップは、第２タイマの期間の間継続される。
【００６０】
第２タイマの後、第４サブステップＥ３４に進み、実行測定並びに経験的なアルゴリズムまたは規則に従って１つまたは複数のウインド検出スレッショルドが規定される。
【００６１】
例えば、スレッショルドは、最も高い測定値、または、最も高い１０の値の平均から規定される。なお、第１セーフティースレッショルドが高い発振周波数（または、パルス動作モード）を規定し、また、第２セーフティースレッショルドが低い発振周波数を規定することも可能である。
【００６２】
一旦、１つまたは複数のスレッショルドが計算されると、第５サブステップＦ３５に進み、論理処理ユニット３４に含まれる不揮発性メモリＭＥＭに、その１つまたは複数のスレッショルドが格納される。
【００６３】
そして、設定ステップは、終了する。示されていないが、任意のさらなるサブステップは、インストーラに設定の最後を表示させる。
【００６４】
そして、センサ送信機が設定されて動作可能となる最終ステップＥ４０で示されるモニタリングモードを実行する。
【００６５】
従って、本発明に係るセンサ送信機におけるケーシングの開きの検出は、センサ送信機によって生成されたウインド検出信号を単にディスエーブルにする場合と、極めて簡単な設備設定モートとにより行うことができる。
【００６６】
ウインド検出信号（または、何らかのセキュリティー信号）をディスエーブルにするのは、幾つかの形式で行うことができる。最も単純な場合、このディスエーブルは、禁止されているセキュリティー信号の送信に反映される。或いは、セキュリティー信号の送信が禁止されずに、センサがディスエーブル状態に切り替わると、センサのディスエーブル状態を示す第２信号が送信される。そして、制御ユニット１９は、センサがインバリッドになってセキュリティー信号がもはや考慮されないという情報が伝えられる。
【００６７】
センサが再び動作モードに切り替わると、セキュリティー信号が再びイネーブルであることを示すために第３信号が送信される。
【００６８】
本発明は、センサ送信機のケーシングがベースおよび蓋を備え、電子回路がその蓋に結合された場合を例として説明した。しかしながら、他の実施例では、電子回路がバースの位置に設けられ、磁石が蓋の位置に設けられる。
【００６９】
本発明は、防水をより一層確実にするために、センサを備えたケーシングが完全に閉鎖された場合にも適用される。近年、センサに電力を供給するためのドライバッテリは、１０年以上長持ちし、密封した防水構造を可能とする。
【００７０】
この場合、検出された移動構造体上の留め位置からケーシングを取り去るアクションになる。
【００７１】
上述の記載において、センサ送信機のケーシングには、次の４つの機械状態がある。
閉鎖してフィットされた状態
開いてフィットされた状態
閉鎖して外された状態
開いて外された状態
【００７２】
これら４つの状態は、センサ送信機の対応する２つの状態を有する。
動作状態（ケーシングの機械状態は、閉鎖してフィットされた状態）
ディスエーブル状態（ケーシングの機械状態は、開いてフィットされた状態、閉鎖して外された状態または開いて外された状態）
【００７３】
しかしながら、本発明の内容を逸脱することなく、ケーシングの他の機械状態、センサ送信機の他の状態、並びに、ケーシングの機械状態とセンサ送信機の状態との間の関係を示す他のマッピングとすることも可能である。
【図面の簡単な説明】
【００７４】
【図１】本発明に係るセンサ送信機を備える設備を示す図である。
【図２】本発明に係るセンサ送信機の分解組み立て図である。
【図３】本発明に係るセンサ送信機の回路図である。
【図４】本発明に係るセンサ送信機のオペレーティング方法を実行する１つの手法を示すフローチャートである。
【図５】本発明に係るセンサ送信機の学習方法を実行する１つの手法を示すフローチャートである。
【符号の説明】
【００７５】
１０    オートメーション設備
１１    生地
１２    固定部
１３    ロードバー
１４    連結式アーム
１５    第１関節
１６    第２関節
１７    固定構造体
１８    動力化されたチューブ
１９    制御ユニット
２０    センサ送信機
２２    ベース
２３    移動可能部分（蓋）
２４    クリップ
２５    隅部
２６    取り付け手段
２８    固定スタッド
３０    電子回路
３１    プリント回路
３２    二次エレメント
３３    振動センサ
３４    論理処理ユニット
３５    無線送信機
３６    ドライバッテリ
３７    制御スイッチ
【図１】
2008167439.tif 000003
【図２】
2008167439.tif 000004
【図３】
2008167439.tif 000005
【図４】
2008167439.tif 000006
【図５】
2008167439.tif 000007